(57)【要約】【課題】グロメットの本体をパネルの貫通孔に対して、大きな接触抵抗が生じることなく容易に装着することができるグロメットを提供する。【解決手段】本体１４の中心部に電線保持用の保持孔を設けるとともに、外周にはパネル１２の貫通孔１３の縁部に装着される環状溝１６を形成する。本体１４の側面には貫通孔１３への挿入側に向かって縮径するとともに、貫通孔１３の縁部に係合可能な傾斜部１４３を形成する。その傾斜部１４３には本体１４の周方向に沿って山部２１と谷部２２とを交互に形成する。谷部２２の幅を山部２１の幅より広くなるように形成する。【選択図】図１
2015015869.tif 000002
【特許請求の範囲】
【請求項１】
本体の中心部に電線保持用の保持孔が設けられ、外周にはパネルの貫通孔の縁部に装着される環状溝が形成された電線保護用のグロメットであって、
前記本体の側面には前記貫通孔への挿入方向側に向かって縮径するとともに、前記貫通孔の縁部に係合可能な傾斜部が形成され、その傾斜部には本体の周方向に沿って山部と谷部とが交互に形成され、谷部の幅が山部の幅より広くされたグロメット。
【請求項２】
前記谷部及び山部が断面曲線状に形成され、谷部の曲率が山部の曲率より小さく形成された請求項１に記載のグロメット。
【請求項３】
前記本体が、両端の円弧部と、その両円弧部の間に位置する連結部とによって構成された請求項１または２に記載のグロメット。
【請求項４】
前記谷部及び山部が少なくとも円弧部に形成された請求項３に記載のグロメット。
【請求項５】
前記谷部を山部より薄肉にした請求項１〜４のうちのいずれか一項に記載のグロメット。
【請求項６】
前記山部の内壁面にリブを形成した請求項５に記載のグロメット。
【発明の詳細な説明】
【技術分野】
【０００１】
この発明は、例えば車両に配索されるワイヤハーネス等の電線に外装して、車体パネル等の貫通孔に装着され、貫通孔に対する電線の挿通部分を保護するとともに、貫通孔からの水や塵の侵入を防止するためのグロメットに関するものである。
【背景技術】
【０００２】
従来、この種のグロメットとしては、特許文献１及び特許文献２に開示されるような構成が提案されている。
特許文献１に記載の従来構成においては、軟質材料よりなるグロメット本体の側面の傾斜部に、硬質材料よりなる環状のカバー部材が被覆されている。カバー部材の外周には、軸線方向に延びる断面ほぼ三角形状の突条を周方向に間隔をおいて複数設けることによって、凹凸面が形成されている。そして、パネルの貫通孔に対するグロメット本体の装着時に、カバー部材の凹凸面が貫通孔の縁部を滑動しながら挿入される。このとき、凹凸面の線分が折り込まれて、カバー部材の外径がすぼめられる。これに追従して、グロメット本体の外径もすぼめられ、グロメット本体の外周の環状溝がパネルの貫通孔の縁部に嵌合されるようになっている。
【０００３】
また、特許文献２に記載の従来構成においては、軟質材料よりなるグロメット本体の側面の傾斜部に、側面三角形状をなす複数の凹状の撓み部が間隔をおいて形成されている。各撓み部の厚さは、傾斜部における撓み部の非形成部分の厚さより薄くなるように形成されている。そして、パネルの貫通孔に対するグロメット本体の装着時に、各撓み部が内周側に撓むことによって、傾斜部が縮径される。これに追従して、グロメット本体の外径がすぼめられ、グロメット本体の外周の環状溝がパネルの貫通孔の縁部に嵌合されるようになっている。
【先行技術文献】
【特許文献】
【０００４】
【特許文献１】特開２００４−３４３８８９号公報
【特許文献２】特開２００８−２３４９４６号公報
【発明の概要】
【発明が解決しようとする課題】
【０００５】
ところが、これらの従来構成においては、次のような問題があった。
特許文献１に記載の従来構成では、グロメット本体の傾斜部に硬質材料よりなるカバー部材が被覆装着されているため、パネルの貫通孔に対するグロメット本体の装着時に、カバー部材の外径が簡単にすぼめられない。よって、グロメット本体の外径もすぼめられ難くて、貫通孔に対するグロメット本体の装着を容易に行うことができない。しかも、カバー部材が必要であるため、部品点数が増えてしまうことになる。
【０００６】
また、特許文献２に記載の従来構成では、グロメット本体の傾斜部における撓み部の非形成部分の表面積が、撓み部の表面積より大きくなるように形成されている。このため、パネルの貫通孔に対するグロメット本体の装着時に、傾斜部における撓み部の非形成部分が貫通孔の縁部に対して大きな接触面積で接触する。よって、貫通孔の縁部に対するグロメット本体の接触抵抗が大きくなって、貫通孔に対するグロメット本体の装着を容易に行うことができない。
【０００７】
この発明は、このような従来の技術に存在する問題点に着目してなされたものである。その目的は、グロメットの本体をパネルの貫通孔に対して、大きな接触抵抗が生じることなく容易に装着することができるグロメットを提供することにある。
【課題を解決するための手段】
【０００８】
上記の目的を達成するために、このグロメットは、本体の中心部に電線保持用の保持孔が設けられ、外周にはパネルの貫通孔の縁部に装着される環状溝が形成された電線保護用のグロメットであって、前記本体の側面には前記貫通孔への挿入側に向かって縮径するとともに、前記貫通孔の縁部に係合可能な傾斜部が形成され、その傾斜部には本体の周方向に沿って山部と谷部とが交互に形成され、谷部の幅が山部の幅より広くされたことを特徴としている。
【０００９】
従って、このグロメットにおいては、本体の保持孔に電線を組み付けた状態で、本体をパネルの貫通孔に装着する場合には、本体の側面の傾斜部を貫通孔に嵌合すると、傾斜部上の各山部が貫通孔の縁部に接触して、各谷部が内周側に撓曲される。このとき、谷部の幅が山部の幅より広くなるように形成されているため、貫通孔の縁部に対する山部の接触面積が小さくなるとともに、谷部の撓曲性が良好になる。よって、傾斜部が簡単に縮径されて本体の外径がすぼめられ、本体の外周の環状溝をパネルの貫通孔の縁部に対して、大きな接触抵抗が生じることなく容易に装着することができる。
【発明の効果】
【００１０】
前記のグロメットによれば、グロメットの本体をパネルの貫通孔に対して、大きな接触抵抗が生じることなく容易に装着することができるという効果を発揮する。
【図面の簡単な説明】
【００１１】
【図１】第１実施形態のグロメットを示す斜視図。
【図２】図１のグロメットの正面図。
【図３】同グロメットの平面図。
【図４】図２の４−４線における拡大断面図。
【図５】図２の５−５線における部分拡大断面図。
【図６】図５の６−６線における部分断面図。
【図７】第２実施形態のグロメットを示す断面図。
【図８】第３実施形態のグロメットを示す断面図。
【図９】変更例を示す断面図。
【発明を実施するための形態】
【００１２】
以下、グロメットの実施形態を図面に従って説明する。
（第１実施形態）
図１〜図６に従って第１実施形態を説明する。
【００１３】
図１に示すように、この実施形態のグロメット１１は、図示しない車両の車体とドアとの間に配索するワイヤハーネス等の電線に外装されて、ドアパネル１２の貫通孔１３に装着される。前記貫通孔１３は、前記電線の端部に接続される図示しない長四角箱状のコネクタの挿通を可能にするために、両端部を円弧形状とした長円形状をなすように形成されている。
【００１４】
図１〜図３に示すように、前記グロメット１１は、全体がゴムやエラストマ等の軟質材料により一体に成形されている。グロメット１１の中央部には、貫通孔１３に装着される本体１４が備えられている。この本体１４は、両端の円弧部１４１と、両円弧部１４１の間を連結する直線状の連結部１４２とによって、側面形ほぼ長円形状をなすように構成されている。
【００１５】
図４及び図５に示すように、本体１４の中心部には、図示しないワイヤハーネスよりなる電線を挿通させて保持するための保持孔１５が設けられている。本体１４の外周には、ドアパネル１２の貫通孔１３の縁部に嵌合可能な環状溝１６が形成されている。環状溝１６の外周側には、貫通孔１３の縁部に係合して、水や塵埃等の侵入を防ぐためのシール１６１が形成されている。
【００１６】
図１〜図３に示すように、前記本体１４の貫通孔１３に対する挿入側の側面中央部には、電線を挿通させるための第１蛇腹筒部１７が一体に延長されている。第１蛇腹筒部１７の端部には、ドアと隣接する車体の外板パネル１０の貫通孔に嵌合可能な嵌合部１８１を有する大径筒部１８が形成されている。本体１４の貫通孔１３に対する挿入側と反対側の側面中央部には、電線を挿通するための第２蛇腹筒部１９が延長形成されている。この第２蛇腹筒部１９はドアの内部に位置する。第２蛇腹筒部１９の端部には、図示しないコネクタを装着するためのスリット２０１を有する装着用筒部２０が形成されている。
【００１７】
図１〜図３に示すように、前記本体１４の貫通孔１３に対する挿入側の側面には、貫通孔１３に対する挿入方向に向かって縮径するとともに、貫通孔１３の縁部に係合可能な傾斜部１４３が形成されている。図１及び図４に示すように、この傾斜部１４３は、本体１４の側面に９０度間隔をおいて一体形成した４条のリブ１４５，１４６の頂面によって形成されている。なお、本体１４の連結部１４２側の幅広のリブ１４６はドア開閉時において、本体１４が過度に変形することを防ぐためのものである。
【００１８】
図５に示すように、この傾斜部１４３の中心軸線に対する傾斜角度θは、グロメット１１の貫通孔１３に対する装着作業時の摩擦抵抗や挿入荷重等を考慮して、３０度≦θ≦４０度の範囲に設定されている。ちなみに、貫通孔１３に対する装着作業時の挿入荷重と、装着作業後の貫通孔１３からの耐抜却荷重とのバランスを考慮すると、傾斜部１４３の傾斜角度θは４５度程度が考えられる。しかし、傾斜角度を４５度に設定すると、貫通孔１３に対するグロメット１１の装着作業時に、グロメット１１の変形に力を要し、本体１４上の環状溝１６を貫通孔１３に嵌合するまでに時間がかかる。
【００１９】
図１及び図２に示すように、前記傾斜部１４３には、複数の山部２１と谷部２２とが本体１４の周方向に沿って交互に形成されている。図４に示すように、本体１４の両円弧部１４１に設けられた各山部２１及び谷部２２は、円弧部１４１の側面の中心Ｃから放射方向に延びるように形成されている。これに対して、本体１４の連結部１４２に設けられた各山部２１及び谷部２２は、平行に延びるように形成されている。前記傾斜部１４３上の各谷部２２の底部の幅は各山部２１の頂部の幅より広くなるように形成されている。すなわち、各谷部２２の底部及び山部２１の頂部は断面曲線状に形成され、谷部２２底部の曲率が山部２１の頂部の曲率より小さくなるように形成されている。
【００２０】
図５及び図６に示すように、傾斜部１４３の内壁面において各山部２１の頂部と対応する位置には、複数のリブ２３が突出形成されている。このリブ２３により、山部２１の肉厚が増大されている。従って、谷部２２が山部２１より薄肉で、剛性が低くなるように形成されている。
【００２１】
そして、貫通孔１３に対するグロメット１１の本体１４の装着作業時には、傾斜部１４３が貫通孔１３の縁部に対して、幅狭で、大曲率及び厚肉の各山部２１の頂部の部分において狭い接触面積で接触される。そして、この貫通孔１３の縁部に対する各山部２１の接触により、幅広、小曲率及び薄肉の各谷部２２が内周側に容易に撓曲されて、傾斜部１４３が縮径される。
【００２２】
図５に示すように、前記本体１４の内壁面における環状溝１６と対応する位置には、前記各リブ２３間の薄肉部から延びるほぼ三角形状の凹部２４が形成されている。そして、この凹部２４により、本体１４の外周部分の柔軟性が高められて、貫通孔１３に対する本体１４の装着時に、傾斜部１４３の縮径にともなって、本体１４の外径が容易にすぼめられて、本体１４上の環状溝１６が貫通孔１３の縁部に嵌合される。
【００２３】
図１〜図４に示すように、前記傾斜部１４３上の各谷部２２における環状溝１６側の端部には、フランジ２５が形成されている。そして、このフランジ２５により、環状溝１６の貫通孔１３に対する挿入側の側壁が補強されるとともに、貫通孔１３の縁部に対する接触面積が確保されて、本体１４上の環状溝１６が貫通孔１３の縁部に係止された状態でのシール性が高められる。
【００２４】
図１及び図４に示すように、本体１４の外周端には１８０度隔てて突起１４８が形成されている、この突起１４８は、本体１４を貫通孔１３に通す際に、貫通孔１３の縁部に当接されて、本体１４が縁部に支えられるようにするものである。
【００２５】
図１及び図４に示すように、１条のリブ１４５の頂面には、グロメットの装着状態における上側を示す指標１４７が付されている。
次に、前記のように構成されたグロメットの作用を説明する。
【００２６】
このグロメット１１を用いて、車両の車体とドアとの間にワイヤハーネスを配索する場合には、グロメット１１の両蛇腹筒部１７，１９を通して本体１４の保持孔１５に電線を組み付けるとともに、その電線の両端に図示しないコネクタを接続する。この状態で、グロメット１１をドアの内部に配置して、大径筒部１８側から本体１４をドアパネル１２の貫通孔１３にドアの外側に向かって挿通して、本体１４の環状溝１６において貫通孔１３の縁部に嵌合する。
【００２７】
すなわち、この貫通孔１３に対する本体１４の装着作業においては、本体１４の側面の傾斜部１４３が貫通孔１３に係合すると、傾斜部１４３上の各山部２１の頂部が貫通孔１３の縁部に接触して、各谷部２２が内周側に撓曲される。
【００２８】
この場合、各谷部２２の底部の幅が各山部２１の頂部の幅より広くなるように形成されるとともに、曲面状をなす各谷部２２の底部の曲率が各山部２１の頂部の曲率より小さくなるように形成されている。また、各谷部２２が各山部２１より薄肉となるように形成されている。このため、本体１４の傾斜部１４３が各山部２１における狭い接触面積で貫通孔１３の縁部に接触されて、ほとんど変形することなく、従って、大きな接触抵抗を生じることなく貫通孔１３内に挿入される。そして、貫通孔１３の縁部に対する傾斜部１４３の接触により、幅広、小曲率及び薄肉の各谷部２２が内周側に簡単に撓曲されて、傾斜部１４３が縮径される。この傾斜部１４３の縮径にともなって、本体１４の外径がすぼめられ、本体１４の外周の環状溝１６がパネル１２の貫通孔１３の縁部に嵌合される。この本体１４の装着状態で、貫通孔１３に対する電線の挿通部分が保護されるとともに、貫通孔１３が塞がれて水や塵の侵入が防止される。
【００２９】
従って、この実施形態によれば、以下のような効果を得ることができる。
（１）  この実施形態においては、本体１４の側面に、貫通孔１３への挿入方向側に向かって縮径するとともに、貫通孔１３の縁部に係合可能な傾斜部１４３が形成されている。その傾斜部１４３には本体１４の周方向に沿って山部２１と谷部２２とが交互に形成されている。谷部２２の幅が山部２１の幅より広くなるように形成されている。
【００３０】
このため、このグロメットにおいては、本体１４の保持孔１５に電線を組み付けた状態で、本体１４をパネル１２の貫通孔１３に装着する場合に、本体１４の側面の傾斜部１４３を貫通孔１３に嵌合すると、傾斜部１４３上の各山部２１が貫通孔１３の縁部に接触して、各谷部２２が内周側に撓曲される。このとき、谷部２２の幅が山部２１の幅より広くなるように形成されているため、貫通孔１３の縁部に対する山部２１の接触面積が小さくなるとともに、谷部２２の撓曲性が良好になる。よって、傾斜部１４３が簡単に縮径されて本体１４の外径がすぼめられ、本体１４の外周の環状溝１６をパネル１２の貫通孔１３の縁部に対して、大きな接触抵抗が生じることなく容易に嵌合することができる。従って、グロメットの装着作業を小さな労力で短時間に行なうことができる。
【００３１】
（２）  この実施形態においては、前記谷部２２の底部及び山部２１の頂部が曲面状に形成され、谷部２２の底部の曲率が山部２１の頂部の曲率より小さくなるように形成されている。このため、貫通孔１３に対する本体１４の装着作業時に、貫通孔１３の縁部に対する山部２１の接触面積をより小さくすることができるとともに、谷部２２の撓曲性を一層良好にすることができる。
【００３２】
（３）  この実施形態においては、前記本体１４が、両端の円弧部１４１と、その両円弧部１４１の間に位置する連結部１４２とによって構成されている。このため、本体１４の保持孔１５に組み付けられる電線の端部に長四角箱状のコネクタが接続されて、そのコネクタを挿通するためにパネル１２の貫通孔１３が長円形状に形成されている場合、その貫通孔１３を本体１４の装着によって塞ぐことができる。
【００３３】
（４）  この実施形態においては、前記谷部２２が山部２１より薄肉となるように形成されている。このため、貫通孔１３に対する本体１４の装着時に、谷部２２の撓曲性を一層高めることができるとともに、山部２１の撓曲を抑制できて、山部２１が貫通孔１３の縁部に引っ掛かるおそれを防止することができる。
【００３４】
（第２実施形態）
次に、第２実施形態を第１実施形態と異なる部分を中心に説明する。
図７に示すように、傾斜部１４３の両円弧部１４１に設けられた各山部２１及び谷部２２が、前記第１実施形態と同様に、円弧部１４１の中心Ｃから放射状に延びるように配列されている。傾斜部１４３の連結部１４２にも複数の山部２１及び谷部２２が形成されているが、これらの山部２１及び谷部２２は、所定の傾斜角度αを有し、円弧部１４１の中心Ｃに向かって延びるように配列されている。
【００３５】
前記傾斜部１４３の両連結部１４２には、内側への変形を可能にする形状としての凹部１４４が形成されている。そして、貫通孔１３に対する本体１４の傾斜部１４３の挿入に際して、各円弧部１４１に掛かる挿入荷重が連結部１４２側の中心Ｃに向かって収束するように加えられるとき、連結部１４２における傾斜部１４３が、この荷重により凹部１４４において内側へ容易に変形される。
【００３６】
従って、この第２実施形態によれば、以下のような効果を得ることができる。
（５）  この実施形態においては、本体１４が、連結部１４２には、円弧部１４１側から加えられる荷重によって内側に変形するのを可能にする凹部１４４が設けられている。すなわち、パネル１２の貫通孔１３に本体１４を嵌合装着する際に、連結部１４２には円弧部１４１側から加えられる荷重によって内側に変形可能な凹部２４が設けられているため、連結部１４２が凹部１４４において内側へ容易に変形して、本体１４を貫通孔１３に対して簡単に嵌合することができる。
【００３７】
（第３実施形態）
次に、第３実施形態を前記第１及び第２実施形態と異なる部分を中心に説明する。
図８に示すように、本体１４は連結部１４２を有しておらず、円弧部１４１のみから形成され、全体として円形状に形成されている。
【００３８】
従って、この第３実施形態は、ドアの貫通孔１３が円形である場合に用いられ、第１実施形態とほぼ同様な効果を得ることができる。
（変更例）
この実施形態は、次のように変更して具体化することも可能である。
【００３９】
・  図９に示すように、本体１４の内壁面において、環状溝１６よりドア内部側の位置に環状のリブ１４９を設けること。このようにすれば、本体１４のドア内部側の部分の剛性が向上し、貫通孔１３に対する本体１４の装着状態が強固になる。
【００４０】
・  本体１４の傾斜部１４３上に設けられる山部２１及び谷部２２の数、幅、指向方向を前記実施形態とは異なる値に変更すること。
・  本体１４の連結部１４２の山部２１及び谷部２２、あるいは凹部１４４を省略すること。このようにしても、円弧部１４１の谷部２２の撓曲によって本体１４の外周の環状溝１６をパネル１２の貫通孔１３の縁部に対して、大きな接触抵抗が生じることなく嵌合することができる。言い換えれば、円弧部１４１が変形すれば、本体１４の傾斜部１４３を無理なく貫通孔１３を通過させることができる。
【００４１】
・  本体１４のフランジ２５を省略すること。この構成においては、山部２１の側面が貫通孔１３の縁部に当接する。
【符号の説明】
【００４２】
１１…グロメット、１２…ドアパネル、１３…貫通孔、１４…本体、１４１…円弧部、１４２…連結部、１４３…傾斜部、１５…保持孔、１６…環状溝、２１…山部、２２…谷部、２３…リブ。
【図１】
2015015869.tif 000003
【図２】
2015015869.tif 000004
【図３】
2015015869.tif 000005
【図４】
2015015869.tif 000006
【図５】
2015015869.tif 000007
【図６】
2015015869.tif 000008
【図７】
2015015869.tif 000009
【図８】
2015015869.tif 000010
【図９】
2015015869.tif 000011